(57)【要約】【課題】目詰まり等せずに、球形状以外のものや寸法の大きいものと、球形状のより小さい寸法のものとを選別する方法及び装置を提供すること【解決手段】球形状に近い形状の選別対象と球形状から遠い形状の選別対象とを選別する方法であって、斜め下に向けて回転させた筒の上側の口から選別対象を投入し、球形状から遠い形状の選別対象のみを筒の内側面又は内側突起との摩擦力又は干渉により筒の内側を回転して上面近傍にまで到達させ当該上面近傍から剥がれて落下する選別対象を筒内ガイドにより筒の外の所定位置に導く。寸法の大きいものも同様とする。 【選択図】図１
2017200679.tif 000002
【特許請求の範囲】
【請求項１】
球形状に近い形状の選別対象と
球形状から遠い形状の選別対象とを
選別する方法であって、
斜め下に向けて回転させた筒の上側の口から選別対象を投入し、
球形状から遠い形状の選別対象のみを
筒の内側面又は内側突起との摩擦力又は干渉により
筒の内側を回転して上面近傍にまで到達させ
当該上面近傍から剥がれて落下する選別対象を
筒内ガイドにより筒の外の所定位置に導く
ことを特徴とする方法。
【請求項２】
所定寸法未満の選別対象と
所定寸法以上の選別対象とを
選別する方法であって、
斜め下に向けて回転させた筒の上側の口から選別対象を投入し、
所定寸法以上の選別対象のみを
筒の内側面又は内側突起との摩擦力又は干渉により
筒の内側を回転して上面近傍にまで到達させ
当該上面近傍から剥がれて落下する選別対象を
筒内ガイドにより筒の外の所定位置に導く
ことを特徴とする方法。
【請求項３】
斜め下に向けて回転させた筒の上側の口から選別対象を投入し、
球形状から遠い形状の選別対象のみが
筒の内側面又は内側突起との摩擦力又は干渉により
筒の内側を回転して上面近傍に到達するように構成し、
当該上面近傍から剥がれて落下する選別対象を筒の外の所定位置に導く筒内ガイドを有することにより、
球形状に近い形状の選別対象と
球形状から遠い形状の選別対象とを
選別する装置。
【請求項４】
斜め下に向けて回転させた筒の上側の口から選別対象を投入し、
所定寸法以上の選別対象のみが
筒の内側面又は内側突起との摩擦力又は干渉により
筒の内側を回転して上面近傍に到達するように構成し、
当該上面近傍から剥がれて落下する選別対象を筒の外の所定位置に導く筒内ガイドを有することにより、
所定寸法未満の選別対象と
所定寸法以上の選別対象とを
選別する装置。
【請求項５】
前記内側突起は、
前記筒の回転により選別対象に当たる方向を山状、坂状、又はその両方としていることを特徴とする、
請求項３又は４に記載の装置。
【発明の詳細な説明】
【技術分野】
【０００１】
本発明は、選別方法および選別装置に関する。特に金属のシュレッダー屑を選別する方法および装置（機械等）に関する。
【背景技術】
【０００２】
工場発生の薄い鉄板スクラップを鋳物原料（いわゆる「新断シュレッダー屑」）としてシュレッダー加工する際、投入する鉄板スクラップの状態や加工条件によっては、後工程で管理し易い「こぶし大」や「ピンポン大」の「球形状のもの」とは程遠い形状（紐状、板状、くらげ状、等）の新断シュレッダー屑が発生してしまうことがあり、これらを好ましい形状のものと選別することが求められている。
これを実現するために、下記特許文献１「固形状の食品の大小選別装置」に近い構成のトロンメルや、より単純なアミ・フィルター状の板により、好ましい大きさかつ「球形状」のもののみを、それ以外の寸法・形状のものから選別する方法が存在する。
しかし、これらの方法では、アミやフィルターの孔（好適な寸法・形状のもののみを通す）に対象物が目詰まりすることが多く、さらに金属を選別する場合には孔周辺のクッション（バネやアジャスタ等目詰まりを防ぐための機構）がすぐに傷んでしまうという問題があった。
【先行技術文献】
【特許文献】
【０００３】
【特許文献１】実開昭61-055984「固形状の食品の大小選別装置」
【発明の概要】
【発明が解決しようとする課題】
【０００４】
したがって、本発明は、目詰まり等せずに、球形状以外のものや寸法の大きいものと、球形状のより小さい寸法のものとを選別する方法及び装置を提供することを課題とする。
【課題を解決するための手段】
【０００５】
本発明は、かかる課題を解決するため、
球形状に近い形状の選別対象と
球形状から遠い形状の選別対象とを
選別する方法であって、
斜め下に向けて回転させた筒の上側の口から選別対象を投入し、
球形状から遠い形状の選別対象のみを
筒の内側面又は内側突起との摩擦又は干渉により
筒の内側を回転して上面近傍にまで到達させ
当該上面近傍から剥がれて落下する選別対象を
筒内ガイドにより筒の外の所定位置に導く
ことを特徴とする方法、
を提供する。
本発明は、また、
所定寸法未満の選別対象と
所定寸法以上の選別対象とを
選別する方法であって、
斜め下に向けて回転させた筒の上側の口から選別対象を投入し、
所定寸法以上の選別対象のみを
筒の内側面又は内側突起との摩擦力又は干渉により
筒の内側を回転して上面近傍にまで到達させ
当該上面近傍から剥がれて落下する選別対象を
筒内ガイドにより筒の外の所定位置に導く
ことを特徴とする方法、
を提供する。
本発明はまた、かかる課題を解決するため、
斜め下に向けて回転させた筒の上側の口から選別対象を投入し、
球形状から遠い形状の選別対象のみが
筒の内側面又は内側突起との摩擦力又は干渉により
筒の内側を回転して上面近傍に到達するように構成し、
当該上面近傍から剥がれて落下する選別対象を筒の外の所定位置に導く筒内ガイドを有することにより、
球形状に近い形状の選別対象と
球形状から遠い形状の選別対象とを
選別する装置
を提供する。
本発明は、また、
斜め下に向けて回転させた筒の上側の口から選別対象を投入し、
所定寸法以上の選別対象のみが
筒の内側面又は内側突起との摩擦力又は干渉により
筒の内側を回転して上面近傍に到達するように構成し、
当該上面近傍から剥がれて落下する選別対象を筒の外の所定位置に導く筒内ガイドを有することにより、
所定寸法未満の選別対象と
所定寸法以上の選別対象とを
選別する装置
を提供する。
本発明による、内側突起は、筒の回転により選別対象に当たる方向を山状、坂状、又はその両方とすることにより、「球形状に近い形状の選別対象」６ａが板や棒と同様に内側突起にミートして跳ね上がることを防ぐことができる。
【発明の効果】
【０００６】
この方法は、そもそも孔をもたないので、目詰まりの心配もなく、クッションの必要もなく、従来法の課題を解決するものである。
【図面の簡単な説明】
【０００７】
【図１】本発明の一実施形態の方法及び装置を説明する説明図である。ただし、選別対象のシュレッダー屑（ワーク）６と回転筒内突起１ｄは示していない。
【図２】同じく、ワークであるシュレッダー屑を投入する口側から見た斜視図である。筒内突起も明示している。
【図３】筒の投入口側に球形状の規格内シュレッダー屑と、棒や板形状の規格外シュレッダー屑とを投入した後の様子を示す斜視図である。
【図４】出口側から筒内外のワークの動きを説明するための透視図である。
【図５】本発明による一実施形態の正面図である。
【図６】本発明による一実施形態の側面図である。
【発明を実施するための形態】
【０００８】
図１は、本発明による例としての一実施形態を示すものである。
構造や配線を図示しないサーボモーター１ｂにより、図１に向かって反時計回り（図２に向かって時計回り）に回転させたステンレス製の筒１ａ（水平傾き３０度、厚さ２２ｍｍ、内径１０００ｍｍ、長さ１０００ｍｍ、出入口の外周を補強してロールベアリング軸受１ｃ及び１ｂとサーボモータ駆動１ｂとなるようにしたもの）の内側の上面に近い位置から筒１を貫くように樋２を設け、その樋２が筒１の下の口から出て筒１の底より遠くに抜け、「球形状から遠い形状の選別対象」（棒や板等）６ｂが仕切り板３の外側に選別できるようにする。
「球形状に近い形状の選別対象」６ａ（球形状こぶし大等）よりも、（形状による摩擦の多さや（単数又は複数の）内側突起による担持されやすさにより）筒１の内側に沿ってより高い位置まで回転した「球形状から遠い形状の選別対象」６ｂ（棒や板等）は、この樋２へと落下し、樋２に沿って筒１の下の口から遠く（仕切り３の向こう側）に抜け、「球形状に近い形状の選別対象」６ａ（仕切り３の手前のランプ４から横に抜ける）とは異なる位置に選別することができる。
樋２の片側の壁は、図２、３、４、５に示すとおり、「球形状から遠い形状の選別対象」６ｂが樋を飛び越えてしまわないように高くすることもできる（図では高くしている）。
寸法による選別については、寸法の小さな選別対象よりも、寸法の大きな選別対象のほうが、筒内側の複数の離散的な突起物１ｄとその選別対象６ｂの重心が影響を受けやすい態様（干渉頻度、同時干渉部位数、干渉面積、等）で干渉して、より高い位置にまで回転して到達するため、同様にこのような選別が可能となる。
選別したシュレッダー屑（６ａと６ｂ）は、排出ランプ４の下に置いた産廃ボックスと、仕切り板３の外側においた産廃ボックスとに分別して管理することができる。
図に示していないが、回転筒内撹拌突起１ｄは、ワークに当たる面を、球形状とはミートせず板や棒形状とはミートしやすいように、選別対象と当たる方向を山状かつ坂状（山の尾根のふもとをより鋭くした形状）とすることにより、「球形状に近い形状の選別対象」６ａが板や棒と同様にミートして跳ね上がり、選別の妨げとなることを防ぐことができるようにしている。
【符号の説明】
【０００９】
１  回転筒
１ａ  回転筒本体
１ｂ  回転筒下部軸受け兼サーボモータ
１ｃ  回転筒上部軸受け
１ｄ  回転筒内撹拌突起
２  樋
３  仕切り板
４  既定内シュレッダー屑（製品）排出ランプ
５ａ、５ｂ、５ｃ、５ｄ  架台
６ａ  既定内シュレッダー屑（球形状の規格内製品）
６ｂ  既定外シュレッダー屑（棒や板状の規格外品）
【図１】
2017200679.tif 000003
【図２】
2017200679.tif 000004
【図３】
2017200679.tif 000005
【図４】
2017200679.tif 000006
【図５】
2017200679.tif 000007
【図６】
2017200679.tif 000008